【事件の表示】
　特願２０００−１３３７１９「無機ＥＬ表示装置の駆動方法」拒絶査定不服審判事件〔平成１３年１１月　９日出願公開、特開２００１−３１２２５７〕について、次のとおり審決する。
【結　論】
　本件審判の請求は、成り立たない。
【理　由】
第１　手続の経緯・本願発明  
　　　　本件は、平成１２年５月２日にされた特許出願（特願２０００−１３３７１９号。以下、「本件出願」という。）につき、拒絶査定が平成１５年１１月１７日付けでされ、同月２５日に発送されたところ、この拒絶査定に対する審判が同年１２月２５日に請求されるとともに平成１６年１月２１日付けで手続補正書が提出され、当審において平成１８年９月５日付けで通知した拒絶の理由に対し、意見書及び手続補正書が平成１８年１０月１８日に提出されたものであって、本件出願の請求項１及び請求項２に係る発明は、平成１５年９月１９日提出の手続補正書、平成１６年１月２１日提出の手続補正書及び平成１８年１０月１８日提出の手続補正書により補正された明細書及び図面の記載からみて、特許請求の範囲の請求項１及び請求項２に記載された事項により特定されるものであって、その請求項２に係る発明（以下、「本願発明」という。）は次のとおりのものである。
 　　 
【請求項２】「無機ＥＬ素子で構成される多数の表示画素がデータ側電極と走査側電極との交差部にそれぞれ配置され、走査側電極を順次的に選択する走査を行いながら、その各走査毎に表示データに応じた電圧でデータ側電極を駆動し、無機ＥＬ素子の配線に存在する抵抗（３３）を介して表示画素に駆動電圧を印加して表示動作を行うための無機ＥＬ表示装置の駆動方法であって、
　走査側電極を、
　正極性電源（３１）から第１スイッチ（４１）を介して駆動する第１ステップ（ＳＷＰ）と、
　第２スイッチ（５１）を介して、無機ＥＬ素子の容量に比べて大きな容量を有する第１コンデンサ（５０）に接続して、無機ＥＬ素子の電荷によって第１コンデンサ（５０）を充電する第２ステップ（ＳＷ（＋２０Ｖ））と、
　第３スイッチ（４３）によって短絡して、無機ＥＬ素子の電荷を放電する第３ステップ（ＳＷ０）と、
　第４スイッチ（５３）を介して、無機ＥＬ素子の容量に比べて大きな容量を有する第２コンデンサ（５２）に接続して、第２コンデンサ（５２）の電荷によって駆動する第４ステップ（ＳＷ（−２０Ｖ））と、
　出力電圧の絶対値が正極性電源（３１）と等しい負極性電源（３２）から第５スイッチ（４２）を介して駆動する第５ステップ（ＳＷＮ）と、
　第４スイッチ（５３）を介して、第２コンデンサ（５２）に接続して、無機ＥＬ素子の電荷によって第２コンデンサ（５２）を充電する第６ステップ（ＳＷ（−２０Ｖ））と、
　第３スイッチ（４３）によって短絡して、無機ＥＬ素子の電荷を放電する第７ステップ（ＳＷ０）と、
　第２スイッチ（５１）を介して、第１コンデンサ（５０）に接続して、第１コンデンサ（５０）の電荷によって駆動する第８ステップ（ＳＷ（＋２０Ｖ））とを、この順序で繰り返す無機ＥＬ表示装置の駆動方法。」
 　  
第２　当審の拒絶理由 
　　　　一方、当審において平成１８年９月５日付けで通知した拒絶の理由の概要は、本願発明は、本件出願前の平成１年１０月２３日に頒布された特開平１−２６５２９５号公報（以下、「引用刊行物Ａ」という。）に記載された発明、本件出願前の平成９年５月６日に頒布された特開平９−１２００５３号公報（以下、「引用刊行物Ｂ」という）に記載された発明及び周知の技術事項に基づいて当業者が容易に発明をすることができたものであるから、特許法第２９条第２項の規定により特許を受けることができない、とういうものである。  
  　　　　　　 
第３　引用刊行物記載の発明  
　　　　上記引用刊行物Ａには、 
（Ａ−１）「２　特許請求の範囲 
　複数のデータ電極と走査電極とを直交配置したマトリクス表示パネル（１）と、該マトリクス表示パネル（１）の前記データ電極にデータ電圧パルスを印加するデータドライバ（２）と、前記走査電極の奇数番側と偶数番側とからそれぞれ交互に走査電圧パルスを印加する走査ドライバ（３，４）と、該走査ドライバ（３，４）にそれぞれ独立的にペデスタル電圧パルス及び重畳走査電圧パルスを印加するパルサ（５ａ，５ｂ，６ａ，６ｂ）とを備え、　該パルサ（５ａ，５ｂ，６ａ，６ｂ）を制御して前記走査電極の奇数番側の走査ドライバ（３）から順次印加するペデスタル電圧パルス及び重畳走査電圧パルスの極性と、前記走査電極の偶数番側の走査ドライバ（４）から順次印加するペデスタル電圧及び重畳走査電圧パルスの極性とを反対とし、且つ所定周期毎にそれぞれの極性を反対に切替える 
　ことを特徴とするマトリクス表示パネルの駆動方法。」（１頁左下欄４行〜右下欄４行）、（Ａ−２）「〔産業上の利用分野〕 
　本発明は、フリッカを減少させるマトリクス表示パネルの駆動方法に関するものである。
　ＥＬ（エレクトロルミネッセント）を発光層とし、その発光層の両面に絶縁層を介して複数のデータ電極と走査電極とを直交配置したマトリクス表示パネルは、順次走査電極に走査電圧パルスを印加し、データ電極に表示データに従ったデータ電圧パルスを印加して、走査電圧パルスとデータ電圧パルスとが印加された走査電極とデータ電極との交点のセルが発光するもので、その発光セルの組合せにより文字、図形を表示することができるものである。」（２頁左上欄６〜１８行）こと、 
（Ａ−３）「〔従来の技術〕
　マトリクス表示パネルは、データ電圧パルスを印加するデータ電極と、走査電圧パルスを印加する走査電極とを直交配置したもので、データ電圧パルスを印加したデータ電極と、走査電圧パルスを印加した走査電極との交点のセルに印加される駆動電圧パルスによって発光するものであり、その駆動電圧パルスの極性をフレーム毎に反転して、マトリクス表示パネルの表示動作の安定化を図る方法が一般に採用されている。例えば、第４図の（ａ）に示すように、フレーム毎に駆動電圧パルスの極性を反転するものである。その場合に、マトリクス表示パネルの非対称性により、駆動電圧パルスの極性に対応して、同図の（ｂ）に示すように、異なる発光波形となる。
　１フレームを例えば、１／６０Ｓ（≒１６．７ｍＳ）とするこのフレーム周期毎に発光させた場合に於いて、発光輝度が大きくなる周期は、１／３０Ｓ（＝３３．３ｍＳ）となり、発光輝度の変化の周期が大きくなってフリッカが生じることになる。
　そこで、第５図に示すように、走査電極毎に駆動電圧パルスの極性を反転することが提案されている。即ち、（ａ）を１番目の走査電極上のセルに印加される駆動電圧パルス、（ｂ）を２番目の走査電極上のセルに印加される駆動電圧パルス、（ｃ）を３番目の走査電極上のセルに印加される駆動電圧パルスとするように、奇数番目の走査電極上のセルには、奇数フレームでは、正極性の駆動電圧パルスを印加し、偶数フレームでは、負極性の駆動電圧パルスを印加し、偶数番目の走査電極上のセルには、奇数フレームでは、負極性の駆動電圧パルスを印加し、偶数フレームでは、正極性の駆動電圧パルスを印加するものである。」（２頁右上欄１行〜左下欄１４行）こと、
（Ａ−４）「〔発明が解決しようとする問題点〕
　前述のようなペデスタル電圧を印加し、それに走査電圧を重畳して印加する重畳駆動方法に於いては、走査ドライバの低耐圧化を図ることができるが、第４図について説明したように、マトリクス表示パネルの非対称性による発光輝度の変化があって、フリッカが生じる欠点がある。
　そこで、第５図に示すように、奇数番目の走査電極と偶数番目の走査電極とに印加する電圧極性を反転することが考えられる。即ち、奇数番目の走査電極に印加するペデスタル電圧を正極性とすると、偶数番目の走査電極に印加するペデスタル電圧を負極性とするものである。このような駆動方法を採用すると、例えば、１番目の走査電極に正極性のペデスタル電圧と走査電圧とを重畳して印加すると共に、他の走査電極にも正極性のペデスタル電圧を印加し、２番目の走査電極に対しては、負極性のペデスタル電圧と走査電圧とを重畳して印加すると共に、他の走査電極にも負極性のペデスタル電圧（当審注：ベズテタル電圧はペデスタル電圧の誤記）を印加することになり、ペデスタル電圧の極性反転に従った充放電電力が非常に大きくなる。例えば、６４０×４００セルのマトリクス表示パネルに於いてこのような充放電電力は、約２８０Ｗを要することになり、実用化することは困難であった。
　本発明は、消費電力を増大させることなく、フリッカを低減することを目的とするものである。
〔問題点を解決するための手段〕
　・・・
〔作用〕
　パルサ５ａ，６ａを正極性、パルサ５ｂ，６ｂを負極性とすると、パルサ５ａ，６ｂにより走査ドライバ３には正極性の電圧、走査ドライバ４には負極性の電圧を加え、次のフレームでは、パルサ５ｂ，５ａにより走査ドライバ３には負極性の電圧、走査ドライバ４には正極性の電圧を加えるように制御し、（Ｂ）のＶ（ｉ，ｊ），Ｖ（ｉ，ｊ＋１）に示すように、反対極性のペデスタル電圧パルス及び重畳走査電圧パルスを走査電極に加えることができる。即ち、隣接する奇数番の走査電極と偶数電極とに対して、反対極性のペデスタル電圧パルス及び重畳走査電圧パルスを印加することができ、１フレーム毎に従来例と同様な極性の反転を行うことになるから、充放電による消費電力の増大がなく、且つマトリクス表示パネル１の非対称性に基づくフリッカを低減することができる。」（３頁左上欄１行〜右下欄１４行）こと、
（Ａ−５）「〔実施例〕 
　以下図面を参照して本発明の実施例について詳細に説明する。 
　第２図は本発明の実施例の要部回路図であり、１１はデータ電極Ｄ１〜Ｄｍと走査電極Ｓ１〜Ｓ（２ｎ）とを直交して配置したマトリクス表示バネル、１２はデータドライバ、１３，１４は走査ドライバ、１５，１６はパルサである。又１７〜３２はパルサを構成するトランジスタ等からなるスイッチ回路、ＱＰ１〜ＱＰ（２ｎ）はｐチャネル電界効果トランジスタ、ＱＮ１〜ＱＮ（２ｎ）はｎチャネル電界効果トランジスタ、ＺＤ1，ＺＤ２はツェナーダイオードである。
　マトリクス表示パネル１１の奇数番の走査電極Ｓ１〜Ｓ（２ｎ−１）を左側に導出し、偶数番の走査電極Ｓ２〜Ｓ（２ｎ）を右側に導出し、奇数番側の走査ドライバ１３は、ｐチャネル電界効果トランジスタＱＰ1〜ＱＰ（２ｎ−１）とｎチャネル電界効果トランジスタＱＮ１〜ＱＮ（２ｎ−１）とを走査電極Ｓ１〜Ｓ（２ｎ−１）対応に設けて構成し、偶数番側の走査ドライバ１４は、ｐチャネル電界効果トランジスタＱＰ２〜ＱＰ（２ｎ）とｎチャネル電界効果トランジスタＱＮ２〜ＱＮ（２ｎ）とを走査電極Ｓ２〜Ｓ（２ｎ）対応に設けて構成している。 
　又各走査ドライバ１３，１４に対応したパルサ１５，１６は、正極性のペデスタル電圧＋Ｖｐと重畳走査電圧＋Ｖｓｐと、負極性のペデスタル電圧−Ｖｐと重畳走査電圧−Ｖｓｐとを、それぞれスイッチ回路１７〜３２を介して出力し、走査ドライバ１３，１４に加えるものであり、第１図に於けるパルサ５ａ，５ｂは、例えば、スイッチ回路１７〜２０，２１〜２４に対応し、パルサ６ａ，６ｂは、スイッチ回路２５〜２８，２９〜３２に対応する。　又データドライバ１２は、データ電極Ｄ１〜Ｄｍ対応にｐ，ｎチャネル電界効果トランジスタにより構成され、データ電圧Ｖｄを表示データに従ってデータ電極Ｄ１〜Ｄｍに印加するものであり、走査電極に正極性の重畳走査電圧パルスを印加する場合は、反転した表示データに対応してデータ電圧パルスを出力するものである。 
　前述のパルサ１５のスイッチ回路１７，２１をオンとして正極性のペデスタル電圧＋Ｖｐと重畳走査電圧＋Ｖｓｐとを走査ドライバ１３に加え、パルサ１６のスイッチ回路２８，３２をオンとして負極性のペデスタル電圧−Ｖｐと重畳走査電圧−Ｖｓｐとを走査ドライバ１４に加えて、走査ドライバ１３のｎチャネル電界効果トランジスタＱＮ１〜ＱＮ（２ｎ−１）を介して奇数番の走査電極Ｓ1〜Ｓ（２ｎ−１）に正極性のペデスタル電圧パルスを印加し、走査ドライバ１４のｐチャネル電界効果トランジスタＱＰ２〜ＱＰ（２ｎ）を介して偶数番の走査電極Ｓ２〜Ｓ（２ｎ）に負極性のペデスタル電圧パルスを印加することにより、隣接する奇数番と偶数番との走査電極にそれぞれ反対極性のペデスタル電圧パルスを印加することができる。 
　そして、次のフレームには、パルサ１５のスイッチ回路１９，２３をオンとして負極性のペデスタル電圧−Ｖｐと重畳走査電圧−Ｖｓｐとを走査ドライバ１３に加え、又パルサ１６のスイッチ回路２６，３０をオンとして正極性のペデスタル電圧＋Ｖｐと重畳走査電圧＋Ｖｓｐとを走査ドライバ１４に加えて、走査ドライバ１３のｐチャネル電界効果トランジスタＱＰ１〜ＱＰ（２ｎ−１）を介して奇数番の走査電極Ｓｌ〜Ｓ（２ｎ−１）に負極性のペデスタル電圧パルスを印加し、走査ドライバ１４のｎチャネル電界効果トランジスタＱＮ２〜ＱＮ（２ｎ）（当審注：ＮＰ（２ｎ）はＱＮ（２ｎ）の誤記）を介して偶数番の走査電極Ｓ２〜Ｓ（２ｎ）に正極性のペデスタル電圧パルスを印加することにより、隣接する奇数番と偶数番との走査電極にそれぞれ反対極性のペデスタル電圧パルスを印加することができる。 
　なお、パルサ１５，１６に於けるスイッチ回路２０，２２，２７，２９は、走査電極等の充電電荷を放電させる為のものであり、又スイッチ回路１８，２４，２５，３１は、重畳走査電圧を印加した後、ペデスタル電圧にそれぞれクランプする為のものであり、各スイッチ回路１７〜３２は図示を省略した制御回路から制御される。」（３頁右下欄１５行〜４頁右下欄１５行）こと、 
（Ａ−６）「例えば、発光させるセルに印加すべき電圧Ｖａを２２０Ｖとし、データドライバ１２から印加するデータ電圧Ｖｄを２５Ｖ、走査ドライバ１３，１４でスイッチングする走査電圧Ｖｓを６０Ｖとすると、正極性のペデスタル電圧＋Ｖｐは１６０Ｖ、重畳走査電圧＋Ｖｓｐは２２０Ｖ、負極性のペデスタル電圧−Ｖｐは一１３５Ｖ、重畳走査電圧−Ｖｓｐは一１９５Ｖに選定することになる。そして、負極性のペデスタル電圧−Ｖｐと重畳走査電圧−Ｖｓｐを印加する時の“１”の表示データに対応してデータ電圧Ｖｄの２５Ｖを印加することにより、発光させるセルには、（−１９５Ｖ−２５Ｖ）＝−２２０Ｖの電圧が印加されるから発光することになる。又正極性のペデスタル電圧＋Ｖｐと重畳走査電圧＋Ｖｓｐを印加する時には、“１”の表示データに対応してデータ電圧Ｖｄを０Ｖとし、“０”の表示データに対応してデータ電圧Ｖｄを２５Ｖとするものであり、それによって、発光させるセルには、重畳走査電圧がそのまま印加されて、他のセルには、２２０−２５＝１９５Ｖの電圧が印加されるから、発光しないことになる。」（５頁左上欄１９行〜右上欄２０行）こと、
（Ａ−７）「第３図は本発明の実施例の動作説明図であり、ＶＤｉはデータ電極Ｄｉ（ｉ＝１，２，・・・ｍ）に印加するデータ電圧パルス、ＶＳｊ，ＶＳｊ＋１，ＶＳｊ＋２は走査電極Ｓｊ，Ｓｊ＋１，Ｓｊ＋２（ｊ＝１，２，・・・ｎ）に印加する電圧を示し、Ｖ（ｉ，ｊ），Ｖ（ｉ，ｊ＋１），Ｖ（ｉ，ｊ＋２）はセルに印加される電圧を示す。 
　例えば、奇数フレームに於いて、ｔ１の時に＋Ｖｄのデータ電圧パルスをデータ電極Ｄｉに印加し、走査電極Ｓｊに負極性の重畳走査電圧パルスを印加すると、Ｖ（ｉ，ｊ）に示すように、データ電極Ｄｉと走査電極Ｓｊとの交点のセルには、Ｖｐ＋Ｖｄ＋Ｖｓ＝Ｖｓｐ＋Ｖｄの電圧が印加されて発光することになる。他のセルにはこれより低い電圧が印加されるので発光しない。
　又この奇数フレームに於いて、走査電極Ｓｊに隣接する走査電極Ｓｊ＋１には、正極性のペデスタル電圧パルスが印加されており、ｔ２の時に０のデータ電圧パルスをデータ電極Ｄｉに印加し、走査電極Ｓｊ＋１に正極性の重畳走査電圧パルスを印加すると、Ｖ（ｉ，ｊ＋１）で示すように、データ電極Ｄｉと走査電極Ｓｊ＋１との交点のセルには、Ｖｐ＋Ｖｄ＋Ｖｓ＝＋Ｖｓｐ−０の電圧が印加されて発光することになり、他のセルには、＋Ｖｓｐ−Ｖｄの電圧が印加されるから、発光しない。」（５頁左下欄１２行〜右下欄１７行）ことが記載されている。 
 （Ａ−８）また、第３図には偶数フレーム及び奇数フレームの期間中、走査電極ＶＳｊ、ＶＳｊ＋２に走査電圧パルスとして、偶数フレーム中は接地電圧０Ｖ、正極性のペデスタル電圧＋Ｖｐ、正極性の重畳走査電圧＋Ｖｓｐ、正極性のペデスタル電圧＋Ｖｐ、接地電圧０Ｖが順に印加され、奇数フレーム中は接地電圧０Ｖ、負極性のペデスタル電圧−Ｖｐ、負極性の重畳走査電圧−Ｖｓｐ、負極性のペデスタル電圧−Ｖｐ、接地電圧０Ｖが順に印加されるとともに、走査電極ＶＳｊ、ＶＳｊ＋２に走査電圧パルスとして接地電圧０Ｖが印加される間はデータ電極Ｄiにデータ電圧パルスとして接地電圧０Ｖが印加されること、走査電極ＶＳｊ＋１に走査電圧パルスとして、偶数フレーム中は接地電圧０Ｖ、負極性のペデスタル電圧−Ｖｐ、負極性の重畳走査電圧−Ｖｓｐ、負極性のペデスタル電圧−Ｖｐ、接地電圧０Ｖが順に印加され、奇数フレーム中は接地電圧０Ｖ、正極性のペデスタル電圧＋Ｖｐ、正極性の重畳走査電圧＋Ｖｓｐ、正極性のペデスタル電圧＋Ｖｐ、接地電圧０Ｖが順に印加されるとともに、走査電極ＶＳｊ＋１に走査電圧パルスとして接地電圧０Ｖが印加される間はデータ電極Ｄｉにデータ電圧パルスとして接地電圧０Ｖが印加されること、及びデータ電圧パルスＶＤiのｔ1、ｔ2、ｔ3の時には走査電極ＶＳｊ、ＶＳｊ＋１、ＶＳｊ＋２にそれぞれセルを発光させるための負極性の重畳走査電圧−Ｖｓｐ、正極性の重畳走査電圧＋Ｖｓｐ、負極性の重畳走査電圧−Ｖｓｐの電圧が順に選択されることが描かれている。さらに、第２図には、パルサ１５のスイッチ回路１７が正極性の重畳走査電源＋Ｖｓｐに、スイッチ回路１８、２１が正極性のペデスタル電源＋Ｖｐに、スイッチ回路２０、２２が接地電源０Ｖに、スイッチ回路１９、２３が負極性のペデスタル電源−Ｖｐに、スイッチ回路２３が負極性の重畳走査電源−Ｖｓｐに接続され、パルサ１６のスイッチ回路２６が正極性の重畳走査電源＋Ｖｓｐに、スイッチ回路２５、３０が正極性のペデスタル電源＋Ｖｐに、スイッチ回路２７、２９が接地電源０Ｖに、スイッチ回路２８、３１が負極性のペデスタル電源−Ｖｐに、スイッチ回路３２が負極性の重畳走査電源−Ｖｓｐに接続され、パルサ１５の接地電圧０Ｖを印加するスイッチ回路２２は走査ドライバ１３のｎチャネル電界効果トランジスタＱＮ１〜ＱＮ（２ｎ−１）を介して奇数番の走査電極Ｓ1〜Ｓ（２ｎ−１）に接続され、スイッチ回路２０は走査ドライバ１３のｐチャネル電界効果トランジスタＱＰ１〜ＱＰ（２ｎ−１）を介して奇数番の走査電極Ｓｌ〜Ｓ（２ｎ−１）に接続されることが描かれている。
（Ａ−９）上記（Ａ−５）の「前述のパルサ１５のスイッチ回路１７，２１をオンとして正極性のペデスタル電圧＋Ｖｐと重畳走査電圧＋Ｖｓｐとを走査ドライバ１３に加え、パルサ１６のスイッチ回路２８，３２をオンとして負極性のペデスタル電圧−Ｖｐと重畳走査電圧−Ｖｓｐとを走査ドライバ１４に加えて、・・・奇数番の走査電極Ｓ1〜Ｓ（２ｎ−１）に正極性のペデスタル電圧パルスを印加し、・・・偶数番の走査電極Ｓ２〜Ｓ（２ｎ）に負極性のペデスタル電圧パルスを印加することにより、隣接する奇数番と偶数番との走査電極にそれぞれ反対極性のペデスタル電圧パルスを印加することができる。そして、次のフレームには、パルサ１５のスイッチ回路１９，２３をオンとして負極性のペデスタル電圧−Ｖｐと重畳走査電圧−Ｖｓｐとを走査ドライバ１３に加え、又パルサ１６のスイッチ回路２６，３０をオンとして正極性のペデスタル電圧＋Ｖｐと重畳走査電圧＋Ｖｓｐとを走査ドライバ１４に加えて、・・・奇数番の走査電極Ｓｌ〜Ｓ（２ｎ−１）に負極性のペデスタル電圧パルスを印加し、・・・偶数番の走査電極Ｓ２〜Ｓ（２ｎ）に正極性のペデスタル電圧パルスを印加することにより、隣接する奇数番と偶数番との走査電極にそれぞれ反対極性のペデスタル電圧パルスを印加することができる。」の記載から、走査電極には走査電圧パルスとして接地電圧０Ｖ印加後の正極性のペデスタル電圧＋Ｖｐはパルサ１５のスイッチ回路２１又はパルサ１６のスイッチ回路３０をオンして印加され、接地電圧０Ｖ印加後の負極性のペデスタル電圧−Ｖｐはパルサ１５のスイッチ回路１９又はパルサ１６のスイッチ回路２８をオンして印加されることが解るし、さらに、上記（Ａ−５）の「又スイッチ回路１８，２４，２５，３１は、重畳走査電圧を印加した後、ペデスタル電圧にそれぞれクランプする為のもの」の記載、及び第２図には「ツェーナダイオードＺＤ１、ＺＤ２の順方向はスイッチ回路２１〜２４からスイッチ回路１７〜２０方向及びスイッチ回路２９〜３２からスイッチ回路２５〜２８である」こと、及び「スイッチ回路１８、２５にはペデスタル電源＋Ｖｐの方向に向かって順方向のダイオードが接続され、スイッチ回路２４、３１にはペデスタル電源−Ｖｐとは逆方向に向かって順方向のダイオードが接続される」ことが描かれていることを参照すると、スイッチ回路１７、２６がオンされて重畳走査電圧＋Ｖｓｐが走査電極に印加された後、又はスイッチ回路２３、３２がオンされて重畳走査電圧−Ｖｓｐが走査電極に印加された後、スイッチ回路１８、２４、２５、３１がオンすることにより走査電極の重畳走査電圧＋Ｖｓｐ、−Ｖｓｐがペデスタル電圧＋Ｖｐ又は−Ｖｐにクランプされることになるから、走査電極には走査電圧パルスとして正極性の重畳走査電圧＋Ｖｓｐ印加後の正極性のペデスタル電圧＋Ｖｐはパルサ１５のスイッチ回路１８又はパルサ１６のスイッチ回路２５をオンして印加され、負極性の重畳走査電圧−Ｖｓｐ印加後の負極性のペデスタル電圧−Ｖｐは パルサ１５のスイッチ回路２４又はパルサ１６のスイッチ回路３１をオンして印加されることが解る。
　上記（Ａ−１）〜（Ａ−９）の記載を参照すると、上記引用刊行物Ａには、 
 「ＥＬを発光層とするセルが複数のデータ電極と走査電極の交点に配置され、走査ドライバ３、４から走査電極Ｓ1〜Ｓ（２ｎ）にフレーム毎に極性を変えて走査電圧パルスを順次印加するとともに、データドライバ２からデータ電圧パルスをデータ電極Ｄ1〜Ｄmに印加することにより、セルに走査電圧パルスとデータ電圧パルスを印加して発光させて表示するＥＬマトリクス表示パネルの駆動方法であって、 
　トランジスタＱＰ１〜ＱＰ（２ｎ−１）、ＱＮ１〜ＱＮ（２ｎ−１）、ＱＰ２〜ＱＰ２ｎ及びＱＮ２〜ＱＮ２ｎを介して奇数・偶数の走査電極を駆動する際に、
　走査電圧パルスとして、
　パルサ１５のスイッチ回路１７又はパルサ１６のスイッチ回路２６をオンして正極性の重畳走査電源＋Ｖｓｐからの正極性の重畳走査電圧＋Ｖｓｐを印加し、
　パルサ１５のスイッチ回路１８又はパルサ１６のスイッチ回路２５をオンして正極性のペデスタル電源＋Ｖｐからの正極性のペデスタル電圧＋Ｖｐを印加し、
　パルサ１５のスイッチ回路２０、２２又はパルサ１６のスイッチ回路２７、２９をオンして接地電源０Ｖからの接地電圧０Ｖを印加し、
　パルサ１５のスイッチ回路１９又はパルサ１６のスイッチ回路２８をオンして負極性のペデスタル電源−Ｖｐからの負極性のペデスタル電圧−Ｖｐを印加し、
　パルサ１５のスイッチ回路２３又はパルサ１６のスイッチ回路３２をオンして負極性の重畳走査電源−Ｖｓｐからの負極性の重畳走査電圧−Ｖｓｐを印加し、
　パルサ１５のスイッチ回路２４又はパルサ１６のスイッチ回路３１をオンして負極性のペデスタル電源−Ｖｐからの負極性のペデスタル電圧−Ｖｐを印加し、
　パルサ１５のスイッチ回路２０、２２又はパルサ１６のスイッチ回路２７、２９をオンして接地電源０Ｖからの接地電圧０Ｖを印加し、
　パルサ１５のスイッチ回路２１又はパルサ１６のスイッチ回路３０をオンして正極性のペデスタル電源＋Ｖｐからの正極性のペデスタル電圧＋Ｖｐを印加すること、
　を順に行うことを特徴とするＥＬマトリクス表示パネルの駆動方法。」の発明（以下、「引用発明」という。）が記載されている。
　また、上記引用刊行物Ｂには、 
（Ｂ−１）「【０００１】 
【発明の属する技術分野】本発明は、表示装置および表示装置の駆動方法に関し、特に、液晶表示パネルの共通電極等の容量性負荷を駆動する表示装置および該表示装置の駆動方法に関する。」こと、 
（Ｂ−２）「【００１０】図９は従来の表示装置の駆動回路の一例を示すブロック図であり、また、図１０は図９の駆動回路の動作を説明するためのタイミング図である。図９において、参照符号２０１は容量性電極（共通電極）を示し、参照符号２０２は入力信号（論理信号）Ｓi に応じて駆動信号Ｓo を出力するバッファ部を示している。
【００１１】図１０に示されるように、バッファ部２０２は、共通電極の負荷容量を交流駆動することになるが、その都度、電荷が移動して所定の電流が流れる。さらに、表示パネルの大型化にともなって、共通電極の負荷容量も増大し、液晶表示装置の消費電力は一層大きなものとなっている。本発明は、上述した従来の液晶表示装置等の表示装置が有する課題に鑑み、容量性電極の駆動電力を低減して表示装置の消費電力を削減することを目的とする。・・・
【００１４】 
【発明の実施の形態】本発明の表示装置によれば、駆動回路は、容量性電極を少なくとも２つの駆動電位間で周期的に変化させて駆動する。また、容量群は１つ以上設けられ、駆動電位の間の電位を有している。さらに、接続制御回路は、容量性電極と駆動回路との接続、および、容量性電極と容量群との接続を制御する。そして、容量性電極に印加される駆動電位の変化に、容量群に蓄積された電荷が利用されるようになっている。これにより、容量性電極の駆動電力を低減して表示装置の消費電力を削減することができる。」こと、 
（Ｂ−３）「【００１６】図１は本発明に係る表示装置の駆動回路の原理構成を示すブロック図であり、図２は図１の駆動回路の動作を説明するためのタイミング図である。すなわち、図２は容量性電極（対向電極）をライン反転（１水平期間毎に反転）する場合を示すタイミング図であり、同図において、参照符号ＴH は１水平期間を示し、ＴM は１水平期間の初めの数μｓを示しており、１水平期間の1/10程度に設定することができる。 
【００１７】また、電圧ＳＣは 2.5ボルトであり、ＶA は５ボルト、そして、ＶB は０ボルトとなっている。さらに、図２・・・では、図３におけるＣM1の初期化の充電の部分については省略されている。なお、上記の各電圧値等は、一例であり、本発明を限定するものでないのはもちろんである。図１において、参照符号１は表示パネル１０１における容量性電極（共通電極：コモン電極および蓄積容量電極),２は入力信号（論理信号）ＳI に応じて駆動信号ＳO1を出力するバッファ部, ３(3-11〜3-n)は容量群（容量１〜容量ｎ),そして，１０はスイッチ部４および制御部５を備えた接続制御部を示している。 
【００１８】図１に示されるように、例えば、アクティブマトリクス方式の液晶表示装置における共通電極（蓄積容量電極およびコモン電極）１を駆動する容量性電極駆動回路（蓄積容量電極駆動回路１１１およびコモン電極駆動回路１１２）は、バッファ部２, 容量群３(3-1〜3-n), スイッチ部４, および, 制御部５を備えて構成されている。 
【００１９】スイッチ部４は、容量性電極１とバッファ部２との接続，および，容量性電極１と容量群３（例えば、容量群３-1〜３-nの内の１つの容量）との接続を、制御部５からの制御信号ＳS に応じて制御（接続・切断の制御）するようになっている。すなわち、スイッチ部４により選択されたバッファ部２の出力（ＳO1),または, 容量群３-1〜３-nの内の１つの容量の片側の電極（Sc-1〜Sc-n) が容量性電極１の入力線（ＳO2）に接続されるようになっている。 
【００２０】図２に示されるように、制御部５は、入力信号ＳI の変化（反転）するエッジから一定期間（ＴM ）だけ、容量群３における容量３−１〜３−ｎのいずれか１つの電極線ＳC-１〜ＳC-ｎと容量性電極１とを接続し、それ以外の期間はバッファ部２の出力（駆動信号）ＳO1と容量性電極１とを接続するようにスイッチ部４を制御する。ここで、電極線ＳC-１〜ＳC-ｎの電位は、バッファ部２の出力（反転電圧）ＳO1の中心電位にほぼ等しくされており、これにより、バッファ部２には、該バッファ部２の出力ＳO1と容量性電極１とが接続されている期間のみ電流が流れて電源電力を消費するが、それ以外の期間には電流が流れず電源電力を消費しないことになる。 
【００２１】さらに、バッファ部２は、該バッファ部２の出力ＳO1（反転電圧ＶA とＶB ）の中心の電位ＶMi［＝（ＶA ＋ＶB ）÷２］から出力ＳO1（反転電圧ＶA またはＶB ）までの間の電位差を駆動すればよいため、電流そのものも少なくてすむ。すなわち、本発明の表示装置の電極駆動装置によれば、容量性電極１に印加される駆動電位（バッファ部２の出力ＳO1：反転電圧ＶA ，ＶB ）の変化を容量群３に蓄積された電荷を利用して行うことにより、消費電力を低減することができる。なお、反転電圧ＶA およびＶB の中心の電位ＶMi［電極線ＳC(ＳC-１〜ＳC-ｎ）の電位］には駆動によりΔＶMiの変動が生じるが、外付け容量（容量群３における容量３−１〜３−ｎ）を容量性負荷の容量に対して十分に大きく（例えば，１０倍以上）設定すればΔＶMiの変動は無視することができる。
【００２２】ここで、容量性電極の容量をＣLD、１水平期間をＴH とすると平均消費電流Ｉａは２水平期間にＶA からＶB に移動した電荷量の平均としてＩａ＝ＣLD×（ＶB −ＶA ）÷４ＴH で表される。なお従来例を図３に示すが、この場合の平均消費電流Ｉｂは、Ｉｂ＝ＣLD×（ＶB −ＶA ）÷２ＴH  となり、本発明の場合の倍になる。ただし実際には容量性電極の負荷には抵抗成分があるため両者の差は小さくなる。 
【００２３】 
【実施例】以下、図面を参照して本発明に係る表示装置の電極駆動装置の実施例を説明する。図３は本発明に係る表示装置の駆動回路の一実施例を示す回路図である。図３に示す実施例において、参照符号１は容量性負荷（ＣLD),２はバッファ部, ３は容量群（容量),４はスイッチ部, ５は制御部, ６は基準電圧発生部, そして，７は初期化部を示している。ここで、図３において、容量性負荷１（ＣLD）の容量は、例えば、２００〜３００ｎＦ程度であり、動作電圧（反転電圧）ＶA は５Ｖ、また、ＶB は０Ｖとなっている。さらに、容量群３（ＣM1）の容量は、２〜３μＦ程度であり、基準電圧ＳＣは約 2.5Ｖとなっている。そして、高電位電源ＶDDは１２Ｖ、低電位電源ＶSSは０Ｖであり、抵抗Ｒ１およびＲ２の分圧によって得られる出力電圧は、 2.5Ｖである。また、初期化部７によって規定される容量ＣM1への充電の期間は、電源投入直後の短時間、例えば、数ｍｓ〜１０ｍｓ程度である（このタイミングに付いては、図２には示されていない）。なお、上記の各電圧値等は、一例であり、本発明を限定するものでない。 
 【００２４】容量性負荷１は、例えば、アクティブマトリクス方式の液晶表示装置の表示パネル（１０１）におけるコモン電極および蓄積容量電極等の共通電極であり、バッファ部２は入力信号（論理信号）ＳI に応じて駆動信号ＳO1を出力する演算増幅器（オペアンプ）を備えて構成されている。ここで、従来の構成では、このバッファ部２の出力が直接に容量性負荷（共通電極）１に供給されるようになっている。 
【００２５】図１と図３との比較から明らかなように、図３に示す実施例では、容量群３を１つの容量ＣM1により構成するようになっている。スイッチ部４は、例えば、ディレイ回路およびエクスクルーシブ・オア（ＥＸ−ＯＲ）ゲートを備えて構成されている。基準電圧発生部６は、抵抗Ｒ１およびＲ２により分圧された電圧をオペアンプ（Ｍ２）で低インピーダンス化して出力するようになっており、初期化部７は、電源投入時（初期化時）直後の短時間だけ、基準電圧発生部６の出力電圧を容量ＣM1（３）に印加して基準電圧（高電位電源電圧ＶDD（ＶB ）と低電位電源電圧ＶSS（ＶA ）との間の電圧（ＶMi；ＶA ＜ＶMi＜ＶB ）、例えば、ほぼ中間の電圧（ＶM ≒（ＶA ＋ＶB ）÷２))にバイアスするようになっている。ここで、初期化部７におけるスイッチＳＷ２をオン状態にするタイミングは、電源投入時から容量Ｃ１に電荷が溜まってインバータがオフするまでの電源投入時直後の短時間であり、これにより容量ＣM1を基準電圧にバイアスするようになっている。 
【００２６】本実施例においては、定常駆動時では反転信号（入力信号）ＳＩをディレイ回路およびＥＸ−ＯＲゲートにより微分して、制御信号ＳＳをスイッチ部４に供給し、入力信号ＳＩの変化後の一定期間だけ容量性負荷（共通電極１）ＣLDを容量ＣM1（３）に接続し、その他の期間は容量性負荷ＣLDをバッファ部２に接続する。すなわち、入力信号ＳＩが反転する度に、その直後の短時間だけ容量群３の容量ＣM1と容量性負荷ＣLDとを接続するように制御して、容量性負荷の駆動電力を低減して表示装置の消費電力を削減するようになっている。」こと、
（Ｂ−４）「【００２８】図４において、図３と同一符号のものは図３と同様の値とされている。また、容量ＣM11,ＣM12 の容量は、容量性負荷１（ＣLD）の１０倍程度に対応し、それぞれ２〜３μＦ程度である。さらに、容量ＣM11,ＣM12  の電位ＶM1, ＶM2は、初期の状態（電源投入直後）で幾つかのパターンができ、初期の状態で、容量ＣM11,ＣM12  の電位ＶM1, ＶM2を同電位としておく場合と、電位ＶM1, ＶM2を異なる電位としておく場合がある。
【００２９】まず、初期の状態において容量ＣM11,ＣM12 の電位ＶM1, ＶM2を同電位としておく場合、さらに幾つかの場合が考えられ（論理的には、ＶA とＶB との間の電位であれば、任意の値をとることができ）、例えば○１（当審注：○１は１の数字を○で囲んだ数字を意味する。以下、同様の表記をする）、ＶM1, ＶM2が共に０Ｖの場合、○２ＶM1, ＶM2が共に 2.5Ｖの場合、そして、○３ＶM1, ＶM2が共に５Ｖの場合等が考えられる。
【００３０】具体的に、○１初期の状態における容量ＣM11,ＣM12  の電位ＶM1, ＶM2が共に０Ｖの場合には、初期化の充電が不要であり、図３に示される基準電圧発生部６或いは初期化部７といった回路が不要となる。そして、動作としては、選択されて接続されて行くうちに、容量ＣM11,ＣM12  に電荷が蓄積され、電位ＶM1, ＶM2は共に０Ｖから 2.5Ｖに近づいて行くことになる。この○１ＶM1, ＶM2が共に０Ｖの場合には、初期の充電が不要となるが、さらに、充電のための回路も不要とすることができるという効果があり、図４はこの初期の状態で、○１容量ＣM11,ＣM12  の電位ＶM1, ＶM2が共に０Ｖの場合に対応した構成を示すものである。
【００３１】また、○２初期の状態における容量ＣM11,ＣM12  の電位ＶM1, ＶM2が共に 2.5Ｖの場合には、 2.5Ｖを中心に変動している容量ＣM11,ＣM12 （すなわち、電位ＶM1, ＶM2）から適切な一方（電位差の大きい方）を選択して接続する。さらに、○３初期の状態における容量ＣM11,ＣM12  の電位ＶM1, ＶM2が共に５Ｖの場合には、その動作は、前述した○１初期の状態における容量ＣM11,ＣM12  の電位ＶM1, ＶM2が共に０Ｖの場合と逆になり、電位ＶM1, ＶM2が共に５Ｖから 2.5Ｖに近づいて行くことになる。
【００３２】ここで、○２ＶM1, ＶM2が共に 2.5Ｖの場合、または、○３ＶM1, ＶM2が共に５Ｖの場合には、初期の充電が必要となるが、この場合、初期充電を行うための充電回路を１つだけ設け、該充電回路を２系統に分けて各容量ＣM11,ＣM12 の充電を行うように構成すればよい。次に、初期の状態において容量ＣM11,ＣM12 の電位ＶM1, ＶM2を異なる電位としておく場合、さらに幾つかの場合が考えられ（論理的には、ＶA とＶB  との間の電位であれば、任意の値をとることができ）、例えば、○４ＶM1, ＶM2がそれぞれ０Ｖ，５Ｖの場合、○５ＶM1, ＶM2ががそれぞれ２Ｖ，３Ｖの場合等が考えられる。これら○４および○５のいずれの場合でも、動作としては容量ＣM11,ＣM12（すなわち、電位ＶM1, ＶM2）から適切な一方（電位差の大きい方）を選択して接続し、電位ＶM1, ＶM2は次第に 2.5Ｖに近づいて行くことになる。」ことが記載されている。
　　　　　　　　　
第４　対比 
　　　  本願発明と引用発明とを対比する。 
(i)引用発明の「データ電極Ｄ1〜Ｄm」、「走査電極Ｓ1〜Ｓ（２ｎ）」、「交点」、「データ電圧パルス 」はそれぞれ本願発明の「データ側電極」、「走査側電極」、「交差部」、「表示データに応じた電圧」に相当する。 
(ii）引用発明の「ＥＬを発光層とするセル」と本願発明の「無機ＥＬ素子で構成される多数の表示画素」とは「ＥＬ素子で構成される多数の表示画素」で共通するものである。 
(iii)上記引用刊行物Ａの（Ａ−７）及び（Ａ−８）を参照すると、引用発明は、走査電極Ｓ1〜Ｓ（２ｎ）にセルを発光させるための正極性又は負極性の重畳走査電圧が順次選択されて供給され、走査電極Ｓ1〜Ｓ（２ｎ）に重畳走査電圧が供給されている時、データ電極Ｄ1〜Ｄmにデータドライバ２からデータ電圧パルスの電圧Ｖｄが印加されると、セルが発光して表示されるＥＬマトリクス表示パネルの駆動方法であるから、引用発明のＥＬマトリクス表示パネルの駆動方法も本願発明と「走査側電極を順次的に選択する走査を行いながら、表示データに応じた電圧でデータ側電極を駆動し、表示画素に駆動電圧を印加して表示動作を行う」ことで共通するものである。 
(iv)上記引用刊行物ＡにはＥＬ素子に配線の抵抗が存在することは記載されていないが、特開昭６２−１３６６９８号公報（３頁左下欄８〜１７行）や特開平７−１４０９２９号公報（２欄４５行〜３欄３行）に記載されているように引用発明の走査電極やデータ電極の配線抵抗は０ではなく所定の抵抗値を有するものであるから、引用発明も配線の抵抗を介して走査電圧パルスやデータ電圧パルスの駆動電圧が印加されるものであり、引用発明も、本願発明と「ＥＬ素子の配線に存在する抵抗（３３）を介して表示画素に駆動電圧を印加して表示動作を行う」点で共通するものである。
(v)本願発明は「無機ＥＬ素子で構成される多数の表示画素がデータ側電極と走査側電極との交差部にそれぞれ配置され、走査側電極を順次的に選択する走査を行いながら、その各走査毎に表示データに応じた電圧でデータ側電極を駆動し、・・・表示画素に駆動電圧を印加して表示動作を行うための無機ＥＬ表示装置の駆動方法であって、走査側電極を、正極性電源（３１）から第１スイッチ（４１）を介して駆動する・・・」ものであるから、正極性電源（３１）からの電圧は第１スイッチ（４１）のほかに、走査側電極を順次的に選択する手段を介して選択された走査側電極に印加されることは明らかであり、さらに本件出願の段落番号【００５０】、【００６４】〜【００６９】の記載を参考にすると、本件出願の図４は１つの容量性表示素子３０を駆動させるための回路として、容量性表示素子３０、正極性電源３１、負極性電源３２、コンデンサ５０、５２、及びスイッチ４１、４２、４３、５１、５３からなる駆動回路の等価回路として記載されたものであるから、図４のスイッチ４１、４２、４３、５１、５３は走査側電極を選択する手段を含めて等価的に１つのスイッチとして表現したものである。一方、引用発明のトランジスタＱＰ１〜ＱＰ（２ｎ−１）、ＱＮ１〜ＱＮ（２ｎ−１）、ＱＰ２〜ＱＰ２ｎ及びＱＮ２〜ＱＮ２ｎは奇数・偶数の走査電極を順次的に選択する手段であり、パルサ１５のスイッチ回路１７をオンして正極性の重畳走査電圧＋Ｖｓｐが選択された奇数の走査電極に印加され、パルサ１６のスイッチ回路２６をオンして正極性の重畳走査電圧＋Ｖｓｐが選択された偶数の走査電極に印加されるから、引用発明の１つのセルには等価的に走査電極を選択する手段を含めて１つのスイッチ回路１７、又は２６から正極性の重畳走査電圧＋Ｖｓｐが印加されることとなり、引用発明のトランジスタＱＰ１〜ＱＰ（２ｎ−１）、ＱＮ１〜ＱＮ（２ｎ−１）、ＱＰ２〜ＱＰ２ｎ及びＱＮ２〜ＱＮ２ｎを介して奇数・偶数の走査電極を駆動する際に、走査電圧パルスとして、「パルサ１５のスイッチ回路１７又はパルサ１６のスイッチ回路２６をオンして正極性の重畳走査電源＋Ｖｓｐからの正極性の重畳走査電圧＋Ｖｓｐを印加」することは本願発明の「正極性電源（３１）から第１スイッチ（４１）を介して駆動する第１ステップ（ＳＷＰ）」に相当する。
　さらに上記（Ａ−６）には＋Ｖｓｐは２２０Ｖ、−Ｖｓｐは−１９５Ｖと記載されていることを考慮すると、負極性の重畳走査電圧−Ｖｓｐが印加される場合も正極性の重畳走査電圧＋Ｖｓｐが印加される場合と同様に引用発明の「パルサ１５のスイッチ回路２３又はパルサ１６のスイッチ回路３２をオンして負極性の重畳走査電源−Ｖｓｐからの負極性の重畳走査電圧−Ｖｓｐを印加」することと本願発明の「第５ステップ（ＳＷＮ）」とは「負極性電源（３２）から第５スイッチ（４２）を介して駆動する第５ステップ（ＳＷＮ）」で共通するものである。
(vi)上記引用刊行物Ａの（Ａ−８）には走査電極ＶＳｊ、ＶＳｊ＋１、ＶＳｊ＋２に走査電圧パルスとして接地電圧０Ｖが印加される間はデータ電極Ｄiにデータ電圧パルスとして接地電圧０Ｖが印加されることが記載されているから、走査電圧パルスとして接地電圧０Ｖが印加される間はＥＬを発光層とするセルは短絡されていることが明らかである。そうすると引用発明の正極性のペデスタル電圧＋Ｖｐを印加した後の「パルサ１５のスイッチ回路２０、２２又はパルサ１６のスイッチ回路２７、２９をオンして接地電源０Ｖからの接地電圧０Ｖを印加」することはＥＬを発光層とするセルを短絡することによりセルに蓄積された電荷が放電されるものである。従って、引用発明のパルサ１５の正極性のペデスタル電圧＋Ｖｐを印加した後の「パルサ１５のスイッチ回路２０、２２又はパルサ１６のスイッチ回路２７、２９をオンして接地電源０Ｖからの接地電圧０Ｖを印加」する際、又は負極性のペデスタル電圧−Ｖｐを印加した後の「パルサ１５のスイッチ回路２０、２２又はパルサ１６のスイッチ回路２７、２９をオンして接地電圧０Ｖを印加」する際の「パルサ１５のスイッチ回路２０、２２又はパルサ１６のスイッチ回路２７、２９」と本願発明の「第３スイッチ（４３）」とは「短絡用のスイッチ」で共通するものであり、さらに、引用発明のパルサ１５の正極性のペデスタル電圧＋Ｖｐを印加した後の「パルサ１５のスイッチ回路２０、２２又はパルサ１６のスイッチ回路２７、２９をオンして接地電圧０Ｖを印加」すること、及び負極性のペデスタル電圧−Ｖｐを印加した後の「パルサ１５のスイッチ回路２０、２２又はパルサ１６のスイッチ回路２７、２９をオンして接地電源０Ｖからの接地電圧０Ｖを印加」することと、本願発明の「第３ステップ（ＳＷ０）」、及び「第７ステップ（ＳＷ０）」とは、それぞれ「短絡用のスイッチによって短絡して、ＥＬ素子の電荷を放電する第３ステップ」、及び「短絡用のスイッチによって短絡して、ＥＬ素子の電荷を放電する第７ステップ」でそれぞれ共通するものである。
(vii)引用発明の正極性のペデスタル電圧＋Ｖｐ、及び負極性の重畳走査電圧−Ｖｐは、それぞれ接地電圧０Ｖと正極性の重畳走査電圧＋Ｖｓｐの中間電圧、及び負極性の重畳走査電圧−Ｖｓｐと接地電圧０Ｖの中間電圧であり、また本願発明の第１コンデンサ（５０）の電圧及び第２コンデンサ（５２）の電圧はそれぞれ第３ステップ（ＳＷ０）で第３スイッチ（４３）によって短絡したときの電圧と第１ステップ（ＳＷＰ）で正極性電源（３１）で駆動するときの電圧の中間電圧及び第５ステップ（ＳＷＮ）で負極性電源（３２）で駆動するときの電圧と第７ステップで第３スイッチ（４３）によって短絡したときの電圧の中間電圧であるから、引用発明の「正極性のペデスタル電源＋Ｖｐ」、及び「負極性のペデスタル電源−Ｖｐ」はそれぞれ本願発明の「第１コンデンサ（５０）」及び「第２コンデンサ（５２）」と「正極性の中間電源」及び「負極性の中間電源」で共通するものである。そして引用発明の「パルサ１５のスイッチ回路１８又はパルサ１６のスイッチ回路２５」と「パルサ１５のスイッチ回路２１又はパルサ１６のスイッチ回路３０」、及び「パルサ１５のスイッチ回路１９又はパルサ１６のスイッチ回路２８」と「パルサ１５のスイッチ回路２４又はパルサ１６のスイッチ回路３１」は本願発明の「第２スイッチ（５１）」及び「第４スイッチ（５３）」とそれぞれ「正極性の中間電圧を供給するスイッチ」及び「負極性の中間電圧を供給するスイッチ」で共通するものである。
　そうすると引用発明の正極性の重畳走査電圧＋Ｖｓｐを印加した後の「パルサ１５のスイッチ回路１８又はパルサ１６のスイッチ回路２５をオンして正極性のペデスタル電源＋Ｖｐからの正極性のペデスタル電圧＋Ｖｐを印加」することと本願発明の「第２スイッチ（５１）を介して、無機ＥＬ素子の容量に比べて大きな容量を有する第１コンデンサ（５０）に接続して、無機ＥＬ素子の電荷によって第１コンデンサ（５０）を充電する第２ステップ（ＳＷ（＋２０Ｖ））」とは「正極性の中間電圧を供給するスイッチを介して、正極性の中間電源に接続する第２ステップ」で共通し、同様に引用発明の接地電圧０Ｖを印加した後の「パルサ１５のスイッチ回路２１又はパルサ１６のスイッチ回路３０をオンして正極性のペデスタル電源＋Ｖｐからの正極性のペデスタル電圧＋Ｖｐを印加」こと、接地電圧０Ｖを印加した後の「パルサ１５のスイッチ回路１９又はパルサ１６のスイッチ回路２８をオンして負極性のペデスタル電源−Ｖｐからの負極性のペデスタル電圧−Ｖｐを印加」すること、及び負極性の重畳走査電圧−Ｖｓｐを印加した後の「パルサ１５のスイッチ回路２４又はパルサ１６のスイッチ回路３１をオンして負極性のペデスタル電源−Ｖｐからの負極性のペデスタル電圧−Ｖｐを印加」することと本願発明の「第２スイッチ（５１）を介して、第１コンデンサ（５０）に接続して、第１コンデンサ（５０）の電荷によって駆動する第８ステップ（ＳＷ（＋２０Ｖ））」、「第４スイッチ（５３）を介して、無機ＥＬ素子の容量に比べて大きな容量を有する第２コンデンサ（５２）に接続して、第２コンデンサ（５２）の電荷によって駆動する第４ステップ（ＳＷ（−２０Ｖ））」、及び「第４スイッチ（５３）を介して、第２コンデンサ（５２）に接続して、無機ＥＬ素子の電荷によって第２コンデンサ（５２）を充電する第６ステップ（ＳＷ（−２０Ｖ））」とは、それぞれ「正極性の中間電圧を供給するスイッチを介して、正極性の中間電源に接続して、正極性の中間電圧で駆動する第８ステップ」、「負極性の中間電圧を供給するスイッチを介して、負極性の中間電源に接続して、負極性の中間電圧で駆動する第４ステップ」、及び「負極性の中間電圧を供給するスイッチを介して、負極性の中間電源に接続する第６ステップ」で共通することになる。
(viii)上記引用刊行物Ａの（Ａ−８）には「第３図には偶数フレーム及び奇数フレームの期間中、走査電極ＶＳj、ＶＳj+2に走査電圧パルスとして、偶数フレーム中は接地電圧０Ｖ、正極性のペデスタル電圧＋Ｖｐ、正極性の重畳走査電圧＋Ｖｓｐ、正極性のペデスタル電圧＋Ｖｐ、接地電圧０Ｖ、奇数フレーム中は接地電圧０Ｖ、負極性のペデスタル電圧−Ｖｐ、負極性の重畳走査電圧−Ｖｓｐ、負極性のペデスタル電圧−Ｖｐ、接地電圧０Ｖが印加される」ことが記載されおり、この偶数フレーム及び奇数フレームは・・・偶数フレーム、奇数フレーム、偶数フレーム、奇数フレーム・・・と繰り返し行われるものであるから、引用発明においても、
　パルサ１５のスイッチ回路１７又はパルサ１６のスイッチ回路２６をオンして正極性の重畳走査電源＋Ｖｓｐからの正極性の重畳走査電圧＋Ｖｓｐを印加し、
　パルサ１５のスイッチ回路１８又はパルサ１６のスイッチ回路２５をオンして正極性のペデスタル電源＋Ｖｐからの正極性のペデスタル電圧＋Ｖｐを印加し、
　パルサ１５のスイッチ回路２０、２２又はパルサ１６のスイッチ回路２７、２９をオンして接地電源０Ｖからの接地電圧０Ｖを印加し、
　パルサ１５のスイッチ回路１９又はパルサ１６のスイッチ回路２８をオンして負極性のペデスタル電源−Ｖｐからの負極性のペデスタル電圧−Ｖｐを印加し、
　パルサ１５のスイッチ回路２３又はパルサ１６のスイッチ回路３２をオンして負極性の重畳走査電源−Ｖｓｐからの負極性の重畳走査電圧−Ｖｓｐを印加し、
　パルサ１５のスイッチ回路２４又はパルサ１６のスイッチ回路３１をオンして負極性のペデスタル電源−Ｖｐからの負極性のペデスタル電圧−Ｖｐを印加し、
　パルサ１５のスイッチ回路２０、２２又はパルサ１６のスイッチ回路２７、２９をオンして接地電源０Ｖからの接地電圧０Ｖを印加し、
　パルサ１５のスイッチ回路２１又はパルサ１６のスイッチ回路３０をオンして正極性のペデスタル電源＋Ｖｐからの正極性のペデスタル電圧＋Ｖｐを印加すること、
　　を順に行うことが、本願発明と同様に「この順序で繰り返す」ものである。
　そうすると、本願発明と引用発明とは、 
「ＥＬ素子で構成される多数の表示画素がデータ側電極と走査側電極との交差部にそれぞれ配置され、走査側電極を順次的に選択する走査を行いながら、その各走査毎に表示データに応じた電圧でデータ側電極を駆動し、ＥＬ素子の配線に存在する抵抗（３３）を介して表示画素に駆動電圧を印加して表示動作を行うためのＥＬ表示装置の駆動方法であって、
　走査側電極を、
　正極性電源から第１スイッチ（４１）を介して駆動する第１ステップ（ＳＷＰ）と、
　正極性の中間電圧を供給するスイッチを介して、正極性の中間電源に接続する第２ステップと、
　短絡用のスイッチによって短絡して、ＥＬ素子の電荷を放電する第３ステップと、
　負極性の中間電圧を供給するスイッチを介して、負極性の中間電源に接続して、負極性の中間電圧で駆動する第４ステップと、
　負極性電源から第５スイッチ（４２）を介して駆動する第５ステップ（ＳＷＮ）と、
　負極性の中間電圧を供給するスイッチを介して、負極性の中間電源に接続する第６ステップと、
　短絡用のスイッチによって短絡して、ＥＬ素子の電荷を放電する第７ステップと、
　正極性の中間電圧を供給するスイッチを介して、正極性の中間電源に接続して、正極性の中間電圧で駆動する第８ステップとを、
　この順序で繰り返すＥＬ表示装置の駆動方法。」である点で一致し、次の相違点（ア）〜相違点（エ）で相違している。
 　　　 
・相違点（ア） 
 　ＥＬ素子が本願発明１では「無機ＥＬ素子」であるのに対して、引用発明は「ＥＬ」である点。 
・相違点（イ） 
　本願発明では「出力電圧の絶対値が正極性電源（３１）と等しい負極性電源」であるのに対して、引用発明では負極性の重畳走査電圧−Ｖｓｐと正極性の重畳走査電圧＋Ｖｓｐの絶対値が異なる点。
・相違点（ウ）
　第３ステップ及び第７ステップにおける短絡用のスイッチが本願発明では「第３スイッチ（４３）」であり、第３ステップ、第７ステップがそれぞれ「第３スイッチ（４３）によって短絡して、無機ＥＬ素子の電荷を放電する第３ステップ（ＳＷ０）」、「第３スイッチ（４３）によって短絡して、無機ＥＬ素子の電荷を放電する第７ステップ（ＳＷ０）」であるのに対して、引用発明では「パルサ１５のスイッチ回路２０、２２又はパルサ１６のスイッチ回路２７、２９」であり、第３ステップ、第７ステップがそれぞれ「パルサ１５のスイッチ回路２０、２２又はパルサ１６のスイッチ回路２７、２９をオンして接地電源０Ｖからの接地電圧０Ｖを印加」すること、「パルサ１５のスイッチ回路２０、２２又はパルサ１６のスイッチ回路２７、２９をオンして接地電源０Ｖからの接地電圧０Ｖを印加」することである点。
・相違点（エ） 
　本願発明の正極性の中間電圧を供給するスイッチ、正極性の中間電源がそれぞれ「第２スイッチ（５１）」、「第１コンデンサ（５０）」であり、第２ステップ、第８ステップがそれぞれ「第２スイッチ（５１）を介して、無機ＥＬ素子の容量に比べて大きな容量を有する第１コンデンサ（５０）に接続して、無機ＥＬ素子の電荷によって第１コンデンサ（５０）を充電する第２ステップ（ＳＷ（＋２０Ｖ））」、「第２スイッチ（５１）を介して、第１コンデンサ（５０）に接続して、第１コンデンサ（５０）の電荷によって駆動する第８ステップ（ＳＷ（＋２０Ｖ））」であり、さらに負極性の中間電圧を供給するスイッチ、負極性の中間電源がそれぞれ「第４スイッチ（５３）」、「第２コンデンサ（５２）」であり、第４ステップ、第６ステップがそれぞれ「第４スイッチ（５３）を介して、無機ＥＬ素子の容量に比べて大きな容量を有する第２コンデンサ（５２）に接続して、第２コンデンサ（５２）の電荷によって駆動する第４ステップ（ＳＷ（−２０Ｖ））」、「出力電圧の絶対値が正極性電源（３１）と等しい負極性電源（３２）から第５スイッチ（４２）を介して駆動する第５ステップ（ＳＷＮ）」であるのに対して、
　引用発明では正極性の中間電圧を供給するスイッチ、正極性の中間電源がそれぞれ「パルサ１５のスイッチ回路１８又はパルサ１６のスイッチ回路２５、パルサ１５のスイッチ回路２１又はパルサ１６のスイッチ回路３０」、「正極性のペデスタル電源＋Ｖｐ」であり、第２ステップ、第８ステップがそれぞれ「パルサ１５のスイッチ回路１８又はパルサ１６のスイッチ回路２５をオンして正極性のペデスタル電源＋Ｖｐからの正極性のペデスタル電圧＋Ｖｐを印加」すること、「パルサ１５のスイッチ回路２１又はパルサ１６のスイッチ回路３０をオンして正極性のペデスタル電源＋Ｖｐからの正極性のペデスタル電圧＋Ｖｐを印加」することであり、さらに負極性の中間電圧を供給するスイッチ、負極性の中間電源がそれぞれ「パルサ１５のスイッチ回路１９又はパルサ１６のスイッチ回路２８、パルサ１５のスイッチ回路２４又はパルサ１６のスイッチ回路３１」、「負極性のペデスタル電源−Ｖｐ」であり、第４ステップ、第６ステップがそれぞれ「パルサ１５のスイッチ回路１９又はパルサ１６のスイッチ回路２８をオンして負極性のペデスタル電源−Ｖｐからの負極性のペデスタル電圧−Ｖｐを印加」すること、「パルサ１５のスイッチ回路２４又はパルサ１６のスイッチ回路３１をオンして負極性のペデスタル電源−Ｖｐからの負極性のペデスタル電圧−Ｖｐを印加」することである点。
　　　　
第５　当審の判断
　　　　そこで、上記相違点（ア）〜相違点（エ）について判断する。
・相違点（ア）について 
　ＥＬ素子として、無機ＥＬ素子は例を挙げるまでもなく周知であることから、引用発明の「ＥＬ」を無機ＥＬ素子とすることは当業者であれば容易になし得るものである。  
・相違点（イ）について
　上記引用刊行物Ａの（Ａ−６）には「負極性のペデスタル電圧−Ｖｐと重畳走査電圧−Ｖｓｐを印加する時の“１”の表示データに対応してデータ電圧Ｖｄの２５Ｖを印加することにより、発光させるセルには、（−１９５Ｖ−２５Ｖ）＝−２２０Ｖの電圧が印加されるから発光することになる。又正極性のペデスタル電圧＋Ｖｐと重畳走査電圧＋Ｖｓｐを印加する時には、“１”の表示データに対応してデータ電圧Ｖｄを０Ｖとし、“０”の表示データに対応してデータ電圧Ｖｄを２５Ｖとするものであり、それによって、発光させるセルには、重畳走査電圧がそのまま印加されて、他のセルには、２２０−２５＝１９５Ｖの電圧が印加されるから、発光しないことになる。」と記載されており、この記載によればセルを発光させる場合、走査電極に重畳走査電圧−Ｖｓｐの−１９５Ｖが印加されるとデータ電極には２５Ｖが印加されるから、−１９５Ｖ−２５Ｖ＝−２２０Ｖの印加電圧がＥＬを発光層とするセルに印加され、また走査電極に重畳走査電圧＋Ｖｓｐの２２０Ｖが印加されるとデータ電極には０Ｖが印加されるから、２２０Ｖ−０Ｖ＝２２０Ｖの印加電圧がＥＬを発光層とするセルに印加されることになり、引用発明の「パルサ１５のスイッチ回路１７又はパルサ１６のスイッチ回路２６をオンして正極性の重畳走査電源＋Ｖｓｐからの正極性の重畳走査電圧＋Ｖｓｐを印加」する場合と「パルサ１５のスイッチ回路２３又はパルサ１６のスイッチ回路３２をオンして負極性の重畳走査電源−Ｖｓｐからの負極性の重畳走査電圧−Ｖｓｐを印加」する場合とを比較するとデータ電極を基準電圧として走査電極から印加される電圧を駆動回路の等価回路としてみた場合にセルに印加される絶対値は等しいものである。そして、ＥＬマトリクス表示パネルを走査電極に印加するパルスの極性を変えて駆動する際に、正極性のパルスと負極性のパルスの絶対値を等しくするとともにＥＬ素子を発光させるときのＥＬ素子に印加される走査電極とデータ電極による電圧差の絶対値を等しくすることは周知〔例えば、特開平２−３２３９２号公報（２頁左下欄４〜８行、３頁左下欄１４〜２０行、４頁左上欄１８行〜右上欄１行）参照）であり、引用発明において「パルサ１５のスイッチ回路１７又はパルサ１６のスイッチ回路２６をオンして正極性の重畳走査電源＋Ｖｓｐからの正極性の重畳走査電圧＋Ｖｓｐを印加」する場合と「パルサ１５のスイッチ回路２３又はパルサ１６のスイッチ回路３２をオンして負極性の重畳走査電源−Ｖｓｐからの負極性の重畳走査電圧−Ｖｓｐを印加」する場合の走査電極に印加する電圧の絶対値を等しくすること、すなわち「出力電圧の絶対値が正極性電源と等しい負極性電源」とすることは当業者が容易になし得るものである。
・相違点（ウ）について　
　走査電極に極性を変えて走査電圧パルスを順次印加するとともに、データ電圧パルスをデータ電極に印加して発光させて表示するＥＬマトリクス表示パネルの駆動方法において、走査電極を走査する際に正極性の電圧を印加後に接地電圧を供給する際のスイッチと負極性の電圧を印加後に接地電圧を供給する際のスイッチを１つのスイッチを介して走査電極に印加することは周知（例えば、特開平３−２３６６２５号公報の７頁右下欄１０行〜８頁右上欄１９行、９頁左上欄１８行〜左下欄１０行、第１図、第７図）であり、引用発明も周知の技術事項もともに走査ドライバから走査電極に極性を変えて走査電圧パルスを順次印加するとともに、データドライバからデータ電圧パルスをデータ電極に印加して発光させて表示するＥＬマトリクス表示パネルの駆動方法で共通するものであるから、引用発明においても走査電極にパルサ１５の正極性のペデスタル電圧＋Ｖｐを印加した後の「パルサ１５のスイッチ回路２０、２２又はパルサ１６のスイッチ回路２７、２９をオンして接地電源０Ｖからの接地電圧０Ｖを印加」する際と、負極性のペデスタル電圧−Ｖｐを印加した後の「パルサ１５のスイッチ回路２０、２２又はパルサ１６のスイッチ回路２７、２９をオンして接地電源０Ｖからの接地電圧０Ｖを印加」する際とにおいて、「パルサ１５のスイッチ回路２０、２２又はパルサ１６のスイッチ回路２７、２９」を１つのスイッチで構成し、スイッチを介して接地電源０Ｖからの接地電圧０Ｖを走査電極に印加すること、すなわち第３ステップ及び第７ステップにおける短絡用のスイッチを１つの「第３スイッチ（４３）」で行うこととともに第３ステップ、第７ステップをそれぞれ「第３スイッチ（４３）によって短絡して、ＥＬ素子の電荷を放電する第３ステップ（ＳＷ０）」、「第３スイッチ（４３）によって短絡して、ＥＬ素子の電荷を放電する第７ステップ（ＳＷ０）」とすることは当業者であれば容易になし得るものである。
　さらに、ＥＬ素子を無機ＥＬ素子とすることについては相違点（ア）に記載したとおりである。、
・相違点（エ）について
　引用発明の目的として充放電による消費電力の増大をなくすことが上記引用刊行物Ａの（Ａ−４）に記載されていることから、引用発明もＥＬマトリクス表示パネルを駆動する際に消費電力を少なくしようとするものであり、さらに引用発明のＥＬマトリクス表示パネルに用いられるＥＬを発光層とするセルが容量性を有することは明らかな事項である（例えば、特開昭５８−５７１９１号公報（２頁左下欄５〜６行）、特開昭５８−３８９９６号公報（２頁左下欄２〜４行）、特開昭５６−１２６８９０号公報（１頁右下欄１〜２行）、特開昭５８−５７１９０号公報（２頁右上欄１２〜１４行）参照）。
　一方、走査ドライバから走査電極にフレーム毎に極性を変えて走査電圧パルスを順次印加するとともに、データドライバからデータ電圧パルスをデータ電極に印加することにより、セルに走査電圧パルスとデータ電圧パルスを印加して発光させて表示するＥＬマトリクス表示パネルの駆動方法において、正極性の重畳走査電圧＋Ｖｓｐを印加した後に正極性のペデスタル電圧＋Ｖｐを印加する場合と、接地電圧０Ｖを印加した後に正極性のペデスタル電圧＋Ｖｐを印加する場合に、１つの正極性のペデスタル電源＋Ｖｐから１つのスイッチを介して走査電極に正極性のペデスタル電圧＋Ｖｐを印加することも、負極性の重畳走査電圧−Ｖｓｐを印加した後に負極性のペデスタル電圧−Ｖｐを印加する場合と、接地電圧０Ｖを印加した後に負極性のペデスタル電圧−Ｖｐを印加する場合に、１つの負極性のペデスタル電源−Ｖｐから１つのスイッチを介して走査電極に負極性のペデスタル電圧−Ｖｐを印加することもともに周知（例えば、特開平１−１６６０９８号公報の２頁左下欄６〜８行、右下欄２〜５行、第５図、第６図参照）であり、さらに、上記引用刊行物Ｂには、液晶表示装置等の容量性負荷を駆動する駆動方法において、０Ｖから５Ｖ又は５Ｖから０Ｖの電位を電極に印加する際に、共通のスイッチを制御して中間の電源電位２．５Ｖを表示装置の容量性負荷の容量より十分大きな容量を有するコンデンサから与えるようにすることにより容量性負荷の駆動電力を低減して表示装置の消費電力を削減することが記載されており、この液晶表示装置等の容量性負荷を駆動する駆動方法においては、５Ｖの電位が供給されていた表示装置の容量性負荷がスイッチにより２．５Ｖのコンデンサに接続された場合は表示装置の容量性負荷の電荷がコンデンサに充電され、０Ｖの電位が供給されていた表示装置の容量性負荷がスイッチにより２．５Ｖのコンデンサに接続された場合は表示装置の容量性負荷はコンデンサの電荷により駆動されることは自明な事項である。そうすると引用発明のＥＬマトリクス表示パネルも上記引用刊行物Ｂに記載された液晶表示装置等もともに容量性負荷を駆動する際にスイッチを介して中間電源からの電圧を印加した後に電極に所定の電圧を印加するとともに容量性負荷の表示装置を消費電力を少なくするように駆動する駆動方法で共通するものであり、さらにＥＬ素子を駆動する際、中間電圧を供給する中間電源としてコンデンサを用いることも周知（例えば特開平１−１６６０９８号公報の第２図、特開昭６３−１６８９９８号公報の第３図、特開平８−１０６９８２号公報の段落番号【００８７】〜【００８９】、【００９９】〜【０１０１】、図４のコンデンサＣ１、Ｃ２参照）であるから、引用発明においても、正極性の重畳走査電圧＋Ｖｓｐを印加した後にスイッチをオンして正極性のペデスタル電圧＋Ｖｐを印加する場合と、接地電圧０Ｖを印加した後にスイッチをオンして正極性のペデスタル電圧＋Ｖｐを印加する場合に、正極性のペデスタル電圧＋Ｖｐを供給するスイッチ、及び正極性のペデスタル電圧＋Ｖｐを供給する中間電源として、「パルサ１５のスイッチ回路１８又はパルサ１６のスイッチ回路２５、パルサ１５のスイッチ回路２１又はパルサ１６のスイッチ回路３０」、及び「正極性のペデスタル電源＋Ｖｐ」の代わりに「１つのスイッチ」及び「ＥＬマトリクス表示パネルに用いられるＥＬを発光層とするセルの容量より充分大きな容量を有するコンデンサ」を用い、正極性の重畳走査電圧＋Ｖｓｐを印加した後、及び接地電圧０Ｖを印加した後にこのコンデンサから１つのスイッチを介して走査電極に印加すること、すなわち、正極性の中間電圧を供給するスイッチ、正極性の中間電源がそれぞれ「第２スイッチ（５１）」、「第１コンデンサ（５０）」であり、第２ステップ、第８ステップがそれぞれ「第２スイッチ（５１）を介して、ＥＬ素子の容量に比べて大きな容量を有する第１コンデンサ（５０）に接続して、ＥＬ素子の電荷によって第１コンデンサ（５０）を充電する第２ステップ（ＳＷ（＋２０Ｖ））」、「第２スイッチ（５１）を介して、第１コンデンサ（５０）に接続して、第１コンデンサ（５０）の電荷によって駆動する第８ステップ（ＳＷ（＋２０Ｖ））」とすることは当業者が容易になし得るものである。
　また、引用発明は走査電極パルスが接地電圧０Ｖ、正極性のペデスタル電圧＋Ｖｐ、正極性の重畳走査電圧＋Ｖｓｐ、正極性のペデスタル電圧＋Ｖｐ、接地電圧０Ｖの順で印加されるだけでなく、接地電圧０Ｖ、負極性のペデスタル電圧−Ｖｐ、負極性の重畳走査電圧−Ｖｓｐ、負極性のペデスタル電圧−Ｖｐ、接地電圧０Ｖが印加されものであるから、正極性のペデスタル電圧＋Ｖｐを印加する場合だけでなく負極性のペデスタル電圧−Ｖｐを印加する場合も同様に、接地電圧０Ｖが印加された後に負極性のペデスタル電圧−Ｖｐを印加する場合と、負極性の重畳走査電圧−Ｖｓｐを印加した後に負極性のペデスタル電圧−Ｖｐを印加する場合に、負極性のペデスタル電圧−Ｖｐを供給するスイッチ、及び負極性のペデスタル電圧−Ｖｐを供給する中間電源として、「パルサ１５のスイッチ回路１９又はパルサ１６のスイッチ回路２８、パルサ１５のスイッチ回路２４又はパルサ１６のスイッチ回路３１」、及び「負極性のペデスタル電源−Ｖｐ」の代わりに「１つのスイッチ」及び「ＥＬマトリクス表示パネルに用いられるＥＬを発光層とするセルの容量より充分大きな容量を有するコンデンサ」を用い、接地電圧０Ｖを印加された後、及び負極性の重畳走査電圧−Ｖｓｐを印加した後にこのコンデンサから１つのスイッチを介して走査電極に印加すること、すなわち負極性の中間電圧を供給するスイッチ、負極性の中間電源がそれぞれ「第４スイッチ（５３）」、「ＥＬ素子の容量に比べて大きな容量を有する第２コンデンサ（５２）」であり、「第４ステップ」、「第６ステップ」をそれぞれ「第４スイッチ（５３）を介して、ＥＬ素子の容量に比べて大きな容量を有する第２コンデンサ（５２）に接続して、第２コンデンサ（５２）の電荷によって駆動する第４ステップ（ＳＷ（−２０Ｖ））」、「第４スイッチ（５３）を介して、第２コンデンサ（５２）に接続して、ＥＬ素子の電荷によって第２コンデンサ（５２）を充電する第６ステップ（ＳＷ（−２０Ｖ））」とすることも上記引用刊行物Ｂに記載された発明を引用発明に採用するときに当業者が当然になし得る事項である。
　さらに、ＥＬ素子を無機ＥＬ素子とすることについては相違点（ア）に記載したとおりである。
　そして、本願発明によってもたらされる効果は、引用発明、引用刊行物Ｂに記載された発明及び周知の技術事項から予測される範囲内のものであり、格別のものではない。
　したがって、本願発明は、引用発明、引用刊行物Ｂに記載された発明及び周知の技術事項に基づき当業者が容易に発明をすることができたものである。
　　　　　　
　なお、請求人は平成１８年１０月１８日提出の意見書において、「（ａ）無機ＥＬ素子３０の容量に比べて大きな容量を有する第１コンデンサ５０の初期充電量がいくらであっても、無機ＥＬ素子３０の駆動動作中、電圧Ｖ１／２（ただし、Ｖ１は正極性電源３１の出力電圧、たとえば実施の形態では４０Ｖ）に自動的に達する。このことは負極性電源３２および第２コンデンサ５２に関しても同様であり、さらに図６の実施の形態に関しても同様である。したがって本発明によれば、中間の電位を有する電源を別途設ける必要がないという優れた効果が達成される。第１コンデンサ５０が正極性電源３１の出力電圧Ｖ１の半分の電圧Ｖ１／２に自動的に達する理由を述べる。　図４で第１コンデンサ５０の初期電圧をＶ０とすると、第１コンデンサ５０から無機ＥＬ素子３０（容量をＣとし、初期電圧を０Ｖとする）への充電電荷Ｑ１は、
　　　Ｑ１＝Ｃ・Ｖ０２　　　　　　　　　　　　　　　　　　… （１）
であり、無機ＥＬ素子３０の充電電圧Ｖ１（たとえば実施の形態では前述のように４０Ｖ）から第１コンデンサ５０への放電電荷Ｑ２は、
　　　Ｑ２＝Ｃ（Ｖ１−Ｖ０）２　　　　　　　　　　　　　　…（２）
である。したがって無機ＥＬ素子３０の充放電による電荷の差ΔＱは、
　　　ΔＱ＝Ｑ２−Ｑ１
　　　　　＝２・Ｖ１・Ｃ（Ｖ１／２−Ｖ０）　　　　　　　　…（３）
　図４、図６の実施の形態では、
　　　ΔＱ＝Ｑ２−Ｑ１
　　　　　＝８０・Ｃ（２０−Ｖ０）　　　　　　　　　　　　…（４）
　したがって第１コンデンサ５０の充電電圧がＶ１／２（実施の形態では２０Ｖ）未満の場合、前述の式３，４から第１コンデンサ５０の電荷と電圧の絶対値とは増えていく。第１コンデンサ５０の充電電圧がＶ１／２を超える場合、前述の式３，４から第１コンデンサ５０の電荷と電圧の絶対値とは減っていく。
　第１コンデンサ５０の充電電圧がちょうどＶ１／２の場合、無機ＥＬ素子３０の充電電荷Ｑ１と前述の放電電荷Ｑ２とは等しくなり（Ｑ１＝Ｑ２）、Ｖ１／２（実施の形態では２０Ｖ）で安定に維持される。したがって前述のように本発明では、中間電圧を得るための電源を別途準備する必要がなく、正確な電圧Ｖ１／２が、第１コンデンサ５０によって得られる。この第１コンデンサ５０の電圧Ｖ１／２が安定に維持されるので、消費電力の低減が確実である。
（ｂ）前述のように第１コンデンサ５０の電圧が、正極性電源３１のちょうど１／２に自動的に到達し、第２コンデンサ５２の電圧が、負極性電源３２のちょうど１／２に自動的に到達するので、第１および第２コンデンサ５０，５２の充放電のための消費電力と、無機ＥＬ素子３０の配線に存在する抵抗３３による消費電力との和を、最小にすることができる。この消費電力の最小化の根拠は、出願当初の明細書段落［００６１］に記載してある。
（ｃ）第１および第２コンデンサ５０，５２を用いるので、隣接するタイミングでＯＮ／ＯＦＦのスイッチング動作をする第１〜第５スイッチ４１，５１，４３，５３，４２のＯＮ期間が、たとえ部分的に重なっていても、短絡による大電流が流れることはなく、せいぜいこれらの第１および第２コンデンサ５０，５２の充電電荷の放電が生じるだけであって、大きな支障が生じることはなく、安全である。たとえば第１および第５スイッチ４１，４２の各ＯＮ期間ＳＷＰ，ＳＷＮは、それらの間に期間ＳＷ（＋２０Ｖ），ＳＷ０，ＳＷ（−２０Ｖ）が存在しており、隣接しておらず、したがって正極性電源３１と負極性電源３２とが短絡する危険はない。第１および第３スイッチ４１，４３の各ＯＮ期間ＳＷＰ，ＳＷ０も、それらの間に期間ＳＷ（＋２０Ｖ）が存在しており、隣接しておらず、したがって正極性電源３１が短絡する危険はない。第３および第４スイッチ４３，４２の各ＯＮ期間ＳＷ０，ＳＷＮも、それらの間に期間ＳＷ（−２０Ｖ）が存在しており、隣接しておらず、したがって負極性電源３２が短絡する危険はない。
（ｄ）本発明では、電源の個数が、正極性電源３１と負極性電源３２との合計２個であって、少ない数であり、しかも第１〜第５スイッチ４１，５１，４３，５３，４２が用いられ、その個数が小さいので、スイッチング制御が容易であるという効果もある。
　補正後の新請求項２の本発明もまた、前述の新請求項１と同様に本発明の優れた効果（ａ），（ｂ），（ｃ），（ｄ）を奏する。これらの新請求項１，２の各発明の構成と、それによって達成される前述の優れた効果は、審判官殿が拒絶理由通知書において指摘しておられる引用刊行物Ａ〜Ｃには全く開示も示唆もされておらず、その拒絶理由通知書第１３／１５頁に指摘しておられる３つの公開公報にも全く開示も示唆もされていない。」旨の主張をしている。 
　しかしながら、上記引用刊行物Ｂの（Ｂ−４）にはコンデンサの初期電位が５Ｖと０Ｖの中間の１／２Ｖでなくでも選択的にコンデンサと容量性負荷とが接続されていくと中間の　（５Ｖ＋０Ｖ）／２＝２．５Ｖ　に近づいていくことが記載されているから、請求人の上記（ａ）及び（ｂ）の効果の主張は採用できない。
　さらに、引用発明も、正極性の重畳走査電圧＋Ｖｓｐ、正極性のペデスタル電圧＋Ｖｐ、接地電圧０Ｖ、負極性のペデスタル電圧−Ｖｐ、負極性の重畳走査電圧−Ｖｓｐ、負極性のペデスタル電圧−Ｖｐ、接地電圧０Ｖ、正極性のペデスタル電圧＋Ｖｐの順でセルに電圧が印加されるから、正極性の重畳走査電圧＋Ｖｓｐと負極性の重畳走査電圧−Ｖｓｐとが同時にセルに印加されることはないし、正極性の重畳走査電圧＋Ｖｓｐと接地電圧０Ｖ、又は負極性の重畳走査電圧−Ｖｓｐと接地電圧０Ｖが同時にセルに印加されることはなく、請求人の上記（ｃ）の効果の主張は採用できない。
　そして、引用発明も上記第４　の(v)に記載したように正極性の重畳走査電圧＋Ｖｓｐを印加するスイッチ、負極性の重畳走査電圧−Ｖｓｐを印加するスイッチはそれぞれ１つのスイッチで構成することができ、さらに上記第５　当審の判断の相違点（ウ）及び（エ）に記載したように接地電圧０Ｖを印加するスイッチ、負極性のペデスタル電圧−Ｖｐを印加するスイッチ、及び正極性のペデスタル電圧＋Ｖｐを印加するスイッチをそれぞれ１つのスイッチで構成することは当業者が容易になし得るものであるから、請求人の上記（ｄ）の効果の主張も採用できないものである。
　　　
第６　むすび
　　　　以上のとおりであるから、本願発明は特許法第２９条第２項の規定により特許を受けることができないものであるので、その余の請求項に係る発明について検討するまでもなく、本件出願は、当審で通知した上記拒絶の理由によって拒絶をすべきものである。
　よって、結論のとおり審決する。